(57)【特許請求の範囲】
【請求項１】
ロール表面に圧接されるドクターブレードと、このドクターブレードを保持しているブレードホルダと、このブレードホルダを支持しているドクターバックとを有するドクター装置において、
前記ロール表面に薬液を散布する薬液散布ユニットを有し、
当該薬液散布ユニットは、ユニット本体と、ここから供給される薬液をロール表面に散布するためのノズルとを備えており、
前記ドクターバックに形成された薬液散布ユニット装着部に、前記薬液散布ユニットの前記ユニット本体が装着されており、
前記ブレードホルダは、前記ドクターブレードを前記ロール表面に向けて押し付けるための加圧用エアーチューブと、当該ドクターブレードを前記ロール表面から離れる方向に移動するための開放用エアーチューブとを備えていることを特徴とするドクター装置。
【発明の詳細な説明】
【０００１】
【発明の属する技術分野】
本発明は、抄紙機ロール等の表面に付着した紙粕を掻き落とすために使用されるドクター装置に関するものである。
【０００２】
【従来の技術】
図２には、抄紙機ロール等の表面に付着した紙粕等を掻き落とすために一般的に使用されているドクター装置を示してある。このドクター装置１は、ロール表面Ｓに圧接されるドクターブレード２と、このドクターブレード２を保持しているブレードホルダ３と、このブレードホルダ３を支持しているドクターバック４とを有している。
【０００３】
ブレードホルダ３の先端には、ドクターブレード２の根元側の部分を差し込み可能なスリットが形成されており、ここに、着脱可能な状態でドクターブレード２が装着される。ドクターバック４は、その両端面のジャーナル軸４ａを中心に旋回可能に支持されている。従って、ドクターバック４を旋回させることにより、ドクターブレード２の刃先を適切な圧接力でロール表面Ｓに押しつけることができる。
【０００４】
この押しつけ力は、ドクター装置の自重を利用して発生させている。すなわち、ドクター装置１の重心Ｇは、ジャーナル軸４ａを中心として、ドクターブレード２とは反対側に位置するように設定されている。
【０００５】
一方、ドクターブレード２による紙粕等の掻き落としを確実に行うことができるように、ロール表面に薬液を散布するための薬液散布ユニット５が配置されている。この薬液散布ユニット５は、薬液を保持しているユニット本体部分５ａと、ここから供給される薬液をロール表面Ｓに散布するノズル５ｂを備えている。この薬液散布ユニット５は、ロール７の両端において当該ロール７を支持している門形の支持フレーム７ａに取り付けたブラケット８によって支持されている。
【０００６】
【発明が解決しようとする課題】
ここで、薬液散布ユニット５およびドクター装置１の設置スペースを少なくするためには、双方を一体化することが望ましい。しかし、上記のように、ドクター装置１は自重によりドクターブレード２を適切な圧接力でロール表面Ｓに押しつけるように構成されている。よって、単に、薬液散布ユニット５をドクター装置１に一体化すると、全体としての重心位置が移動してしまい、ドクターブレード２を適切な押しつけ力でロール表面Ｓに圧接させることが困難になる。
【０００７】
また、薬液散布ユニット５をロール支持フレーム７ａに取り付けた構成においては、その支持フレーム７ａが邪魔になって、薬液散布ユニット５の本体部分５ａを取り外す作業が困難になるおそれがある。勿論、薬液散布ユニット５の取り付け位置を変更すればよいが、一般に、ドクター装置１および薬液散布ユニット５は、既に設置されているロール等に後付けにより取り付け固定されるので、その設置場所に制約が多く、これらの取り付け位置を自由に変更することは実質的に不可能である。
【０００８】
本発明の課題は、このような点に鑑みて、ドクターブレードの圧接力を適切な状態に維持したまま、薬液散布ユニットを一体化でき、しかも、コンパクトに構成することのできるドクター装置を提案することにある。
【０００９】
【課題を解決するための手段】
上記の課題を解決するために、本発明は、ロール表面に圧接されるドクターブレードと、このドクターブレードを保持しているブレードホルダと、このブレードホルダを支持しているドクターバックとを有するドクター装置において、前記ロール表面に薬液を散布する薬液散布ユニットを有し、当該薬液散布ユニットは、ユニット本体と、ここから供給される薬液をロール表面に散布するためのノズルとを備えており、前記ドクターバックに形成された薬液散布ユニット装着部に、前記薬液散布ユニットの前記ユニット本体が装着されており、前記ブレードホルダは、前記ドクターブレードを前記ロール表面に向けて押し付けるための加圧用エアーチューブと、当該ドクターブレードを前記ロール表面から離れる方向に移動するための開放用エアーチューブとを備えていることを特徴としている。
【００１０】
このように構成したドクター装置においては、そのドクターブレードの刃先の圧接力は、加圧用エアーチューブに対する空気供給量により調整され、ドクター装置自体の自重および重心位置に影響されない。よって、ドクター装置に薬液散布ユニットを一体化することが可能になる。また、一体化することにより、ドクター装置および薬液散布ユニットの設置スペースが少なくて済むという利点が得られる。これに加えて、薬液散布ユニットの取り付け位置について考慮する必要がなくなり、その着脱作業も、ロール支持フレームの配置関係、形状等に影響されることなく簡単に行うことが可能になる。
【００１１】
【発明の実施の形態】
図１には、本発明を適用したドクター装置の主要構成を示してある。本例のドクター装置１１は、ロール表面Ｓに圧接されるドクターブレード１２と、このドクターブレード１２を保持しているブレードホルダ１３と、このブレードホルダ１３を支持しているドクターバック１４とを有している。
【００１２】
ブレードホルダ１３は、ドクターブレード１２の根元側の部分を差し込み可能なスリット１３ａを形成しているフィンガ１３ｂと、このフィンガ１３ｂを、旋回軸１３ｃを中心として、ロール表面Ｓに対して接近する方向および離れる方向に旋回可能な一対のエアーチューブ１５、１６を備えている。
【００１３】
エアーチューブ１５は開放用エアーチューブであり、これを膨張させると、フィンガ１３ｂに保持されているドクターブレード１２はロール表面Ｓから離れる。これに対して、他方のエアーチューブ１６は加圧用エアーチューブであり、これを膨張させると、フィンガ１３ｂに保持されているドクターブレード１２はロール表面Ｓに押しつけられる。従って、これら一対のエアーチューブ１５、１６に供給する空気圧を調整することにより、ドクターブレード１２を常に適切な圧接力でロール表面Ｓに押しつけることができる。
【００１４】
この構成のブレードホルダ１３を支持しているドクターバック１４は、その両端にジャーナル軸１４ａが取り付けられており、ここを中心として旋回可能な状態で固定側部材（図示せず）に支持されている。通常はターンバックル等を用いて、適切な旋回位置に固定されている。
【００１５】
ドクターバック１４には、薬液散布ユニット装着部１７が形成されており、ここに、薬液散布ユニット１８が装着されている。薬液散布ユニット１８はユニット本体１８ａと、ここから供給される薬液をロール表面Ｓに散布するためのノズル１８ｂとを備えている。
【００１６】
このように構成した本例のドクター装置１１においては、そのドクターバック１４の部分に薬液散布ユニット１８が搭載され、これらが一体化されている。従って、これらが分離した状態でロール支持フレーム１９に取り付けられている図２に示す場合に比べて、設置スペースが少なくて済む。
【００１７】
また、このように薬液散布ユニット１８を一体化しても、一対のエアーチューブ１５、１６によってドクターブレード１２の刃先の圧接力が決定される。従って、従来のようにドクター装置の自重によりそれが決まっている場合とは異なり、このように一体化しても、圧接力が変化してしまうことがない。
【００１８】
さらには、このように双方の装置が一体化されるので、例えば、図１に示すような門形のロール支持フレーム１９が備わっている場合においても、その間からドクター装置１１および薬液散布ユニット１８の双方にアクセスすることができる。このため、これらの部分のメンテナンスも簡単に行うことができる。
【００１９】
【発明の効果】
以上説明したように、本発明のドクター装置は、そのドクターバックに薬液散布ユニットが一体化されていると共に、ドクターブレードの刃先の圧接力を一対のエアーチューブによって調整可能としている。従って、本発明のドクター装置によれば、ドクターブレードの刃先の圧接力を適切な値に維持したまま、薬液散布ユニットを一体化できる。また、この結果、薬液散布ユニットとドクター装置の設置スペースが少なくて済む。さらに、ロール支持フレームの形状、配置等に影響されずに、これらの部分のメンテナンス等を簡単に行うことが可能になる。
【図面の簡単な説明】
【図１】本発明によるドクター装置を示す概略構成図である。
【図２】従来のドクター装置と薬液散布ユニットを示す概略構成図である。
【符号の説明】
７    ロール
１１  ドクター装置
１２  ドクターブレード
１３  ブレードホルダ
１４  ドクターバック
１５  開放用エアーチューブ
１６  加圧用エアーチューブ
１７  薬液散布ユニット装着部
１８  薬液散布ユニット
１８ａ  ユニット本体
１８ｂ  ノズル
１９  ロール支持フレーム
Ｓ  ロール表面
【図１】
0003998326.tif 000002
【図２】
0003998326.tif 000003